(57)【要約】【課題】施術子をより複雑で広い範囲で動作させ、人の手のマッサージのような刺激を与えることができる頭皮ケア装置を提供する。【解決手段】モータ１２の駆動に基づいて回転する回転体１５に対し、その第１回転軸１５ａ周りを４つの突起２２を有する施術子２０が周回するように回転体１５の回転中心から径方向にずらして設置する構成とした。これにより、モータ１２の駆動にて施術子２０が回転すると、施術子２０の各突起２２が当接する頭皮では各突起２２を介して円運動による刺激を広範囲に与えるマッサージ、すなわち、人の手のマッサージのような刺激を与えることが可能となる。【選択図】図２
2011115378.tif 000002
【特許請求の範囲】
【請求項１】
使用者の頭皮に接触させる可撓性を有する複数の突起を備えた施術子を駆動源の駆動にて回転させ、各突起に接触する頭皮部分に刺激を与える頭皮ケア装置であって、
前記駆動源の駆動に基づいて回転する回転体に対し、その回転軸周りを前記複数の突起が周回するように前記施術子が前記回転体の回転中心から径方向にずらして設置されたことを特徴とする頭皮ケア装置。
【請求項２】
請求項１に記載の頭皮ケア装置において、
前記施術子が前記回転体と逆方向に回転する施術子駆動手段を備えたことを特徴とする頭皮ケア装置。
【請求項３】
請求項２に記載の頭皮ケア装置において、
前記施術子駆動手段は、前記駆動源の駆動伝達に基づいて前記施術子を逆回転するように構成されたことを特徴とする頭皮ケア装置。
【請求項４】
請求項２又は３に記載の頭皮ケア装置において、
前記施術子が前記回転体の回転速度と同等の速度で逆回転するように設定されたことを特徴とする頭皮ケア装置。
【請求項５】
請求項１に記載の頭皮ケア装置において、
前記施術子は、前記回転体に回転自在に支持されたことを特徴とする頭皮ケア装置。
【請求項６】
請求項１〜５のいずれか１項に記載の頭皮ケア装置において、
頭皮ケア装置のハウジングには、使用者の頭皮に接触し前記施術子の駆動によるハウジング側の連れ回りを抑制すべく頭皮との固定を図る固定手段が備えられたことを特徴とする頭皮ケア装置。
【請求項７】
請求項６に記載の頭皮ケア装置において、
前記固定手段は、前記ハウジングの外周部に設けられた外周壁部よりなることを特徴とする頭皮ケア装置。
【請求項８】
請求項１〜７のいずれか１項に記載の頭皮ケア装置において、
前記施術子は、複数備えられるものであり、各施術子間の内側に向けて傾斜して設けられたことを特徴とする頭皮ケア装置。
【請求項９】
請求項８に記載の頭皮ケア装置において、
前記各施術子は、各施術子の中心軸の延長線が一点で交差するように各施術子間の内側に向けて傾斜して設けられ、その交差する点から各施術子までの距離が等しくなるように構成されたことを特徴とする頭皮ケア装置。
【請求項１０】
請求項８又は９に記載の頭皮ケア装置において、
前記各施術子が内側に向くように、前記回転体を支持するハウジングの支持面が湾曲されていることを特徴とする頭皮ケア装置。
【発明の詳細な説明】
【技術分野】
【０００１】
本発明は、頭皮の活性化や育毛を図る頭皮ケア装置に関するものである。
【背景技術】
【０００２】
頭皮ケア装置においては、従来から、ブラシを用いて手動により頭皮をタッピングすることで頭皮のマッサージを行うものや、電動で行うものとしては、ブラシを頭皮表面に沿った方向に往復運動させるブラシ駆動機構を備えたものが知られている。
【０００３】
例えば特許文献１に示される電動の頭皮ケア装置は、複数のブラシ（可撓性を有する複数の突起）が立設される第１及び第２ブラシユニット（施術子）を幅方向に並設し、互いのブラシ先端部の近接離間が繰り返されるように駆動機構にて各ブラシユニットを往復運動する構成となっている。これにより、ブラシ先端部が接触する頭皮を延ばしたり縮めたりする作用が働き、頭皮からの汚れ物質の除去効果やマッサージ効果を高めることが可能となっている。
【先行技術文献】
【特許文献】
【０００４】
【特許文献１】再公表特許２００５−２５４７８号公報
【発明の概要】
【発明が解決しようとする課題】
【０００５】
しかしながら、ブラシ先端部の一方向に往復動作にて頭皮に対し機械的な単純な刺激を局所的に集中して与えることはできるが、人の手のマッサージのように広い範囲に複雑な動作による刺激を与えることはできなかった。
【０００６】
本発明は、上記課題を解決するためになされたものであって、その目的は、施術子をより複雑で広い範囲で動作させ、人の手のマッサージのような刺激を与えることができる頭皮ケア装置を提供することにある。
【課題を解決するための手段】
【０００７】
上記課題を解決するために、請求項１に記載の発明は、使用者の頭皮に接触させる可撓性を有する複数の突起を備えた施術子を駆動源の駆動にて回転させ、各突起に接触する頭皮部分に刺激を与える頭皮ケア装置であって、前記駆動源の駆動に基づいて回転する回転体に対し、その回転軸周りを前記複数の突起が周回するように前記施術子が前記回転体の回転中心から径方向にずらして設置されたことをその要旨とする。
【０００８】
この発明では、駆動源の駆動に基づいて回転する回転体に対し、その回転軸周りを複数の突起が周回するように施術子が回転体の回転中心から径方向にずらして設置される。つまり、駆動源にて回転体が回転すると、その回転中心から径方向にずらして設置される施術子の複数の突起がその回転軸周りを周回するように動作する。このため、各突起が当接する頭皮では各突起が円運動をしながら広範囲をマッサージする、人の手のマッサージのような刺激を与えることが可能となる。
【０００９】
請求項２に記載の発明は、請求項１に記載の頭皮ケア装置において、前記施術子が前記回転体と逆方向に回転する施術子駆動手段を備えたことをその要旨とする。
この発明では、施術子が回転体と逆方向に回転する施術子駆動手段が備えられるため、回転体の回転軸周りの施術子（突起）の周回動作により各突起に使用者の髪の毛が巻付こうとするが、施術子自体がその周回方向と逆回転することで各突起への髪の毛の巻付きが抑制され、また巻付いた髪の毛を逃すことが可能となる。
【００１０】
請求項３に記載の発明は、請求項２に記載の頭皮ケア装置において、前記施術子駆動手段は、前記駆動源の駆動伝達に基づいて前記施術子を逆回転するように構成されたことをその要旨とする。
【００１１】
この発明では、施術子自体を逆回転させる施術子駆動手段は、施術子を周回させる回転体を駆動するための駆動源の駆動伝達に基づいてその施術子自体の逆回転を可能に構成される。このため、施術子自体を逆回転させるために他の駆動源を用いることなく施術子を周回させる回転体を駆動するための駆動源を兼用する構成のため、装置の小型化に寄与する。
【００１２】
請求項４に記載の発明は、請求項２又は３に記載の頭皮ケア装置において、前記施術子が前記回転体の回転速度と同等の速度で逆回転するように設定されたことをその要旨とする。
【００１３】
この発明では、施術子が回転体の回転速度と同等の速度で逆回転するように設定されるため、回転体の回転軸周りの施術子（突起）の周回動作と施術子自体の逆回転とが同期し、各突起への髪の毛の巻付きが好適に抑制される。
【００１４】
請求項５に記載の発明は、請求項１に記載の頭皮ケア装置において、前記施術子は、前記回転体に回転自在に支持されたことをその要旨とする。
この発明では、施術子は回転体に回転自在に支持されるため、単純な構成でありながら各突起への髪の毛の巻付き状況に応じて施術子自体が回転体に対して回転し、髪の毛の巻付きの抑制が可能となる。
【００１５】
請求項６に記載の発明は、請求項１〜５のいずれか１項に記載の頭皮ケア装置において、頭皮ケア装置のハウジングには、使用者の頭皮に接触し前記施術子の駆動によるハウジング側の連れ回りを抑制すべく頭皮との固定を図る固定手段が備えられたことをその要旨とする。
【００１６】
この発明では、頭皮ケア装置のハウジングには、使用者の頭皮に接触し頭皮との固定を図る固定手段が備えられるため、施術子の駆動によるハウジング側の連れ回りを抑制しながら頭皮ケア装置を使用者の頭皮に固定可能となり、施術子（突起）による刺激を頭皮に効果的に与えることが可能となる。
【００１７】
請求項７に記載の発明は、請求項６に記載の頭皮ケア装置において、前記固定手段は、前記ハウジングの外周部に設けられた外周壁部よりなることをその要旨とする。
この発明では、固定手段は、ハウジングの外周部に設けられた外周壁部よりなるため、ハウジング全体を使用者の頭皮に固定可能となり、より確実に頭皮に対してハウジングの固定を図ることが可能となり、施術子（突起）による刺激をより効果的に頭皮に与えることが可能となる。また、外周壁部にて、可動部である施術子を覆うことも可能となる。
【００１８】
請求項８に記載の発明は、請求項１〜７のいずれか１項に記載の頭皮ケア装置において、前記施術子は、複数備えられるものであり、各施術子間の内側に向けて傾斜して設けられたことをその要旨とする。
【００１９】
この発明では、施術子は複数備えられ、各施術子間の内側に向けて傾斜して設けられる。このため、使用者の頭皮表面の湾曲形状に対応して各施術子をそれぞれ略正面に向けることが可能となり、頭皮に効果的に刺激を与えることが可能となる。
【００２０】
請求項９に記載の発明は、請求項８に記載の頭皮ケア装置において、前記各施術子は、各施術子の中心軸の延長線が一点で交差するように各施術子間の内側に向けて傾斜して設けられ、その交差する点から各施術子までの距離が等しくなるように構成されたことをその要旨とする。
【００２１】
この発明では、各施術子は、該施術子の中心軸の延長線が一点で交差するように各施術子間の内側に向けて傾斜して設けられ、その交差する点から各施術子までの距離が等しくなるように構成される。このため、より好適に各施術子が頭皮に対して接触可能となり、より効果的に頭皮に刺激を与えることが可能となる。
【００２２】
請求項１０に記載の発明は、請求項８又は９に記載の頭皮ケア装置において、前記各施術子が内側に向くように、前記回転体を支持するハウジングの支持面が湾曲されていることをその要旨とする。
【００２３】
この発明では、各施術子が内側に向くように回転体を支持するハウジングの支持面が湾曲されるため、各施術子を内側に向ける構成においてのハウジングに対する回転体の支持が容易となる。
【発明の効果】
【００２４】
本発明によれば、施術子をより複雑で広い範囲で動作させ、人の手のマッサージのような刺激を与えることができる頭皮ケア装置を提供することができる。
【図面の簡単な説明】
【００２５】
【図１】本実施形態における頭皮ケア装置を示す斜視図である。
【図２】本実施形態における頭皮ケア装置の断面図である。
【図３】別例における施術子が回転自在に支持された頭皮ケア装置の断面図である。
【図４】別例における固定手段を設けた頭皮ケア装置を示す斜視図である。
【図５】別例における固定手段を設けた頭皮ケア装置の側面図である。
【図６】別例における外周壁部を設けた頭皮ケア装置を示す斜視図である。
【図７】別例における外周壁部を設けた頭皮ケア装置の側面図である。
【図８】別例における施術子を傾斜して設けた頭皮ケア装置の側面図である。
【図９】別例におけるハウジングの上面を腕曲させた頭皮ケア装置の側面図である。
【発明を実施するための形態】
【００２６】
以下、本発明を具体化した一実施形態を図面に従って説明する。
図１は、本実施形態における頭皮ケア装置１の斜視図である。頭皮ケア装置１は、外観が略直方体状のハウジング１０と、このハウジング１０の上部に構成される略円柱状の施術子２０とからなる。ハウジング１０の側面１０ａには使用者が頭皮ケア装置１のオンオフ操作を行うスイッチ１１が設けられている。
【００２７】
ハウジング１０の内部には、図２に示すようにモータ１２が収容されており、該モータ１２はハウジング１０に収容される制御部１３と電気的に接続されている。制御部１３は、該制御部１３の上部に配置される電源部１４及びスイッチ１１と電気的に接続されている。
【００２８】
モータ１２のモータ軸１２ａの先端には駆動ギヤ１２ｂが取り付けられ、この駆動ギヤ１２ｂは円盤状の回転体１５を回転させるための第１回転軸１５ａの下端に取り付けられた第１ギヤ１５ｂと噛合される。この第１回転軸１５ａは、ハウジング１０の上面１０ｂの開口部１０ｃに設けられたベアリング１６にて回転可能に支持されてハウジング１０から突出し、第１回転軸１５ａは回転体１５の円中心に設けられた貫通孔１５ｃに挿通固定されている。第１回転軸１５ａの先端には第２ギヤ１５ｄが取り付けられていて、第２ギヤ１５ｄは、施術子２０の第２回転軸２０ａに取り付けられた第３ギヤ２０ｂと噛合する。第２回転軸２０ａは回転体１５に回転中心から径方向にずれた位置に設置される第２ベアリング２１にて回転可能に支持され、施術子２０の中央に上下方向に貫通形成された貫通孔２０ｃに挿通固定されている。すなわち、回転体１５の第１回転軸線Ｌ１と施術子２０の第２回転軸線Ｌ２とが一致しない位置になるように設定されている。尚、回転体１５の第１回転軸線Ｌ１と施術子２０の第２回転軸線Ｌ２との間は約５ｍｍに設定されている。そして、施術子２０は、回転体１５の回転に基づいて第１回転軸１５ａ周りを周回しながらその周回方向と逆方向に自転するように動作する。
【００２９】
施術子２０は、上面（カバー２３の上面２３ａ）がハウジング１０の上面１０ｂと平行となるように支持されていて、その上面に対して垂直方向に略円錐状の４つの突起２２が立設されている。各突起２２は、第２回転軸２０ａ（回転中心）を中心とした同一円周上に等角度間隔に配置されている。この突起２２は、高さが例えば１０ｍｍに設定され、可撓性を有する軟性樹脂にて構成されている。また、突起２２の先端２２ａは球面に形成されているため、頭皮に好適に接触できるようになっている。施術子２０は、上面２３ａと該上面２３ａの縁部から垂設された側壁２３ｂとを有するカバー２３にて外周が覆われ、突起２２に対応する部分に開口された挿通孔２３ｃ（図１参照）から突起２２が突出するようになっている。
【００３０】
スイッチ１１が使用者によってオン操作されると、制御部１３はそのスイッチ１１からのオン操作信号の入力に基づいて、電源部１４からモータ１２を回転駆動させるための電力をモータ１２に供給する。モータ１２はその電力供給に基づいてモータ軸１２ａを回転させ、モータ軸１２ａの先端に取り付けられた駆動ギヤ１２ｂ及び該駆動ギヤ１２ｂと噛合する第１ギヤ１５ｂを介して第１回転軸１５ａ及び回転体１５を回転させる。この回転体１５の回転に伴い、その回転中心から径方向外側に位置する第２回転軸２０ａにて支持された施術子２０は、その回転中心周り（第１回転軸１５ａ周り）を周回するように動作する。また、第１回転軸１５ａの先端に取り付けられた第２ギヤ１５ｄと第２回転軸２０ａの第３ギヤ２０ｂとが噛合していることで、第１回転軸１５ａの回転に伴い、施術子２０自体が第１回転軸１５ａ（回転体１５）の回転方向とは逆方向に回転する。
【００３１】
つまり、モータ１２が回転駆動すると、施術子２０が回転体１５の回転中心周り（第１回転軸１５ａ周り）を周回しつつ、それとは逆方向に施術子２０自体が回転するように動作し、その施術子２０に備えられる各突起２２を頭皮に当接すると、各突起２２を介して円運動による刺激を広範囲に付与し、人の手のマッサージのような刺激を与えることができるようになっている。また、施術子２０自体の逆方向への回転は、各突起２２への髪の毛の巻付きの抑制に寄与している。
【００３２】
次に、本実施形態の特徴的な作用効果を記載する。
（１）本実施形態では、モータ１２の駆動に基づいて回転する回転体１５（第１回転軸１５ａ）に対し、その回転中心周り（第１回転軸１５ａ周り）を４つの突起２２を有する施術子２０が周回するように施術子２０が回転体１５の回転中心から径方向にずらして設置されている。つまり、モータ１２にて回転体１５が回転すると、その回転中心から径方向にずらして設置される施術子２０がその回転中心周りを周回するように動作するため、施術子２０に備えられる各突起２２が当接する頭皮では各突起２２を介して円運動による刺激を広範囲に与えるマッサージ、すなわち、人の手のマッサージのような刺激を与えることができる。
【００３３】
（２）本実施形態では、施術子２０自体を回転体１５と逆方向に回転させる施術子駆動手段として第２ギヤ１５ｄ及び第３ギヤ２０ｂが備えられている。このため、施術子２０の周回動作により各突起２２に使用者の髪の毛が巻付こうとするが、施術子２０自体がその周回方向と逆回転することで各突起２２への髪の毛の巻付きが抑制され、また巻付いた髪の毛を逃すことができる。また、施術子２０が回転体１５の回転速度と同等の速度で逆回転するように第２ギヤ１５ｄ及び第３ギヤ２０ｂの歯数が同一に設定されるため、施術子２０の周回動作と施術子２０自体の逆回転動作とが同期し、各突起２２への髪の毛の巻付きを好適に抑制することができる。
【００３４】
（３）本実施形態では、第２ギヤ１５ｄ及び第３ギヤ２０ｂによる駆動連結にて、施術子２０の周回動作と施術子２０自体の逆回転動作とが１つのモータ１２で行うように構成されている。このため、施術子２０自体を逆回転させるために他の駆動源が必要ないため、装置１の小型化に寄与することができる。
【００３５】
尚、本発明の実施形態は、以下のように変更してもよい。
・上記実施形態では、第２ギヤ１５ｄ及び第３ギヤ２０ｂによって施術子２０自体を逆回転させたが、図３に示すように、施術子２０を回転体１５にベアリング３０を介して単に回転自在に支持してもよい。このようにしても施術子２０が回転体１５に回転自在であることから、単純な構成でありながら各突起２２への髪の毛の巻付き状況に応じて施術子２０自体が回転体１５に対して回転し、髪の毛の巻付きの抑制が可能となる。
【００３６】
・上記実施形態では、施術子２０を１つ設けた構成としたが、図４及び図５に示すように施術子２０を２つ設けて頭皮ケア装置２を構成してもよい。
また、図４及び図５に示す形態においては、使用者の頭皮に接触し頭皮ケア装置２を頭皮に対して固定させる固定手段として、ハウジング１０の上面１０ｂに例えば円柱状の支持部４０が設けられている。支持部４０は、施術子２０の突起２２と同等の高さか若干低く形成され、各施術子２０間の所定位置に２つ設けられている。そして、頭皮ケア装置２は、各支持部４０の先端面を頭皮に当接させて頭皮との固定（ずれ防止）を図りながら使用される。これにより、施術子２０の駆動によるハウジング１０側の連れ回りが抑制されるため、施術子２０（突起２２）による刺激を頭皮に効果的に与えることが可能となる。
【００３７】
また、図６及び図７に示すように、ハウジング１０の外周部に設けられた外周壁部４１をその固定手段としてもよい。同様に、頭皮ケア装置２は、外周壁部４１の先端面を頭皮に当接させて頭皮との固定（ずれ防止）を図りながら使用される。これにより、外周壁部４１にてより確実に頭皮に対して頭皮ケア装置２の固定を図ることが可能となり、施術子２０（突起２２）による刺激をより効果的に頭皮に与えることが可能となる。また、外周壁部４１にて、可動部である施術子２０を覆うことも可能となる。
【００３８】
また、図４〜図７にて示す形態のように、施術子２０を２つ備えるものにおいては、図８に示すように、各施術子２０間の内側に向けて傾斜させる構成としてもよい。この構成によれば、使用者の頭皮表面の湾曲形状に対応して各施術子２０をそれぞれ略正面に向けることが可能となり、頭皮に効果的に刺激を与えることが可能となる。さらに、各施術子２０を該施術子２０の中心軸の延長線が交差するように各施術子２０間の内側に向けて傾斜して設け、その交差する点から各施術子２０までの距離が等しくなるように構成することで、より好適に各施術子２０が頭皮に対して接触可能となり、より効果的に頭皮に刺激を与えることが可能となる。
【００３９】
また、図８では、ハウジング１０の上面１０ｂを平坦に構成したが、図９に示すように、各施術子２０が内側に向くように回転軸１５ａを支持するハウジング１０の上面１０ｂを湾曲（若しくは傾斜）させて頭皮ケア装置２を構成してもよい。この構成によれば、各施術子２０を内側に向ける構成において、各回転軸１５ａとハウジング１０の上面１０ｂとが略直交となるため、ハウジング１０に対する回転体１５の支持が容易となる。
【００４０】
また、図４〜図７にて示す形態では、施術子２０は２つであったが、３以上としてもよい。この場合、２つの施術子２０を有する構成のものと同様に、３つ以上の施術子２０をそれぞれの内側に向けて傾斜させるとよい。さらに、３つ以上の施術子２０を各中心軸の延長線が一点で交差するように傾斜させるとともに、その交差する点から各施術子２０までの距離が等しくなるように構成するとよい。
【００４１】
・上記実施形態では、１つの施術子２０に４つの突起２２を備えたが、数はこれに限らず適宜変更してもよい。
・上記実施形態では、突起２２の先端２２ａは球面としたが、例えば突起２２の先端２２ａを平坦にして更に複数の凸部を設ける構成としてもよい。
【００４２】
・本実施形態では、回転体１５の第１回転軸線Ｌ１と施術子２０の第２回転軸線Ｌ２との間を約５ｍｍに設定したが、これに限らず、例えば２〜８ｍｍの間で適宜変更してもよく、またこれ以外でもよい。
【００４３】
・本実施形態では、突起２２の高さを１０ｍｍに設定したが、これに限らず、例えば５〜１５ｍｍの間で適宜変更してもよく、またこれ以外でもよい。
【符号の説明】
【００４４】
１，２…頭皮ケア装置、１０…ハウジング、１０ｂ…上面（支持面）、１２…モータ（駆動源）、１５…回転体、１５ａ…第１回転軸、１５ｄ…第２ギヤ（施術子駆動手段）、２０…施術子、２０ａ…第２回転軸、２０ｂ…第３ギヤ（施術子駆動手段）、２２…突起、４０…支持部（固定手段）、４１…外周壁部（固定手段）、Ｌ１，Ｌ２…回転軸線。
【図１】
2011115378.tif 000003
【図２】
2011115378.tif 000004
【図３】
2011115378.tif 000005
【図４】
2011115378.tif 000006
【図５】
2011115378.tif 000007
【図６】
2011115378.tif 000008
【図７】
2011115378.tif 000009
【図８】
2011115378.tif 000010
【図９】
2011115378.tif 000011